(57)【要約】【課題】選択した画像を、実際に着用するカスタマーの体型や好みに合わせアレンジして印刷をすることができる印刷システムを提供する。【解決手段】印刷設定プログラムは、印刷媒体（衣類１）に画像を印刷するプリンター１００と、着用体２が着用した衣類１に画像を投影するプロジェクター２００と、コンピューター４００と、を備える印刷システム１０００において、コンピューター４００を動作させるプログラムであって、プロジェクター２００に、投影設定に基づき画像１０を投影させる画像投影機能と、プリンター１００に、印刷設定に基づき画像１０を印刷させる画像印刷機能と、投影設定の変更を受け付け、投影設定を変更する投影設定変更機能と、変更された投影設定に基づき、印刷設定を変更する印刷設定変更機能とをコンピューターに実現させる。【選択図】図１
2016197273.tif 000002
【特許請求の範囲】
【請求項１】
印刷媒体に画像を印刷する印刷装置と、
着用体が着用した前記印刷媒体に画像を投影する投影装置と、
コンピューターと、を備える印刷システムにおいて、前記コンピューターを動作させるプログラムであって、
前記投影装置に、投影設定に基づき画像を投影させる画像投影機能と、
前記印刷装置に、印刷設定に基づき画像を印刷させる画像印刷機能と、
前記投影設定の変更を受け付け、前記投影設定を変更する投影設定変更機能と、
変更された前記投影設定に基づき、前記印刷設定を変更する印刷設定変更機能と、をコンピューターに実現させることを特徴とする印刷設定プログラム。
【請求項２】
請求項１に記載の印刷設定プログラムであって、
前記投影設定の変更として、投影する前記画像の位置の変更を受け付けたとき、前記印刷設定変更機能において、印刷される画像の位置を変更することを特徴とする印刷設定プログラム。
【請求項３】
請求項１又は２に記載の印刷設定プログラムであって、
前記投影設定の変更として、投影する前記画像の大きさの変更を受け付けたとき、前記印刷設定変更機能において、印刷される画像の大きさを変更することを特徴とする印刷設定プログラム。
【請求項４】
請求項１から請求項３のいずれか一項に記載の印刷設定プログラムであって、
前記投影設定の変更として、投影する前記画像の角度の変更を受け付けたとき、前記印刷設定変更機能において、印刷される画像の角度を変更することを特徴とする印刷設定プログラム。
【請求項５】
請求項１から請求項４のいずれか一項に記載の印刷設定プログラムであって、
前記投影設定の変更として、投影する前記画像の色の変更を受け付けたとき、前記印刷設定変更機能において、印刷される画像の色を変更することを特徴とする印刷設定プログラム。
【請求項６】
請求項１から請求項５のいずれか一項に記載の印刷設定プログラムであって、
前記投影設定変更機能において、前記投影設定の変更をユーザーインターフェイスからの入力により受け付けることを特徴とする印刷設定プログラム。
【請求項７】
請求項１から請求項６のいずれか一項に記載の印刷設定プログラムであって、
前記投影設定変更機能において、前記着用体が着用した前記印刷媒体に投影された前記画像を含む前記着用体を撮像した撮影画像に基づいて前記投影設定を変更することを特徴とする印刷設定プログラム。
【請求項８】
請求項１から請求項７のいずれか一項に記載の印刷設定プログラムであって、
前記画像投影機能において、前記印刷媒体における前記画像の配置の基準となる基準パターンを前記投影装置に投影させることを特徴とする印刷設定プログラム。
【請求項９】
着用体が着用した印刷媒体に画像を投影する投影装置に、投影設定に基づき画像を投影させる画像投影指示と、
印刷媒体に画像を印刷する印刷装置に、印刷設定に基づき画像を印刷させる画像印刷指示と、
を実行可能な制御部を備え、
前記制御部は、
前記投影設定の変更を受け付け、前記投影設定を変更する投影設定変更機能と、
変更された前記投影設定に基づき、前記印刷設定を変更する印刷設定変更機能と、を実行可能なことを特徴とする印刷設定装置。
【請求項１０】
投影装置によって、着用体が着用した印刷媒体に投影設定に基づいて画像を投影する画像投影工程と、
前記投影設定の変更を受け付け、前記投影設定を変更する投影設定変更工程と、
変更された前記投影設定に基づき、印刷設定を変更する印刷設定変更工程と、を含むことを特徴とする印刷設定方法。
【発明の詳細な説明】
【技術分野】
【０００１】
本発明は、印刷設定プログラム、印刷設定装置、および印刷設定方法に関する。
【背景技術】
【０００２】
従来から、衣類などの布帛にインクを吐出してカラー画像を印刷する印刷装置（インクジェットプリンター）が知られている。
このような印刷装置を利用した印刷システムとして、例えば、特許文献１には、画像表示の可能な試着衣と、画像データに基づいて一時的に試着衣に画像を表示させる表示制御装置と、試着衣を着た状態で見えるところに設置された姿見などの鏡と、試着衣に表示された画像を衣類に対して印刷する印刷装置とを備えた試着印刷システムが記載されている。この試着印刷システムによれば、印刷を実行しなくても試着した姿を鏡に映して確かめることができ、需要者の納得が得られてから衣類への印刷とその販売ができるとしている。
また、この試着印刷システムは、試着衣にその姿勢を検知するための第１検出部材を付設し、表示制御装置に検知した姿勢に応じて表示画像を変形するデータ処理手段を組み込むことで、試着衣を着た需要者の姿勢に合わせた画像表示が可能であるとしている。また、試着衣にその変形量を計測するための第２検出部材を付設することで、需要者に適した衣類のサイズが試着に随伴して自動的に判明するとしている。
【先行技術文献】
【特許文献】
【０００３】
【特許文献１】特開２００３−４１４２０号公報
【発明の概要】
【発明が解決しようとする課題】
【０００４】
しかしながら、特許文献１に記載の試着印刷システムでは、試着衣を着用する需要者の体型によって画像の見え方が異なってしまう場合や、需要者の好みによっては、画像を印刷する位置や大きさを変えたい場合が出てくる。これに対し、特許文献１に記載の試着印刷システムは、多数の画像データから好みに応じて選択した画像を衣類に印刷することはできるが、選択した画像を、実際に着用する需要者の体型や好みに合わせアレンジして印刷をすることができないという課題があった。
【課題を解決するための手段】
【０００５】
本発明は、上述の課題の少なくとも一部を解決するためになされたものであり、以下の適用例または形態として実現することが可能である。
【０００６】
［適用例１］  本適用例に係る印刷設定プログラムは、印刷媒体に画像を印刷する印刷装置と、着用体が着用した前記印刷媒体に画像を投影する投影装置と、コンピューターと、を備える印刷システムにおいて、前記コンピューターを動作させるプログラムであって、前記投影装置に、投影設定に基づき画像を投影させる画像投影機能と、前記印刷装置に、印刷設定に基づき画像を印刷させる画像印刷機能と、前記投影設定の変更を受け付け、前記投影設定を変更する投影設定変更機能と、変更された前記投影設定に基づき、前記印刷設定を変更する印刷設定変更機能と、をコンピューターに実現させることを特徴とする。
【０００７】
本適用例に係る印刷設定プログラムによれば、上述の印刷システムにおいて、着用体が着用した印刷媒体に投影する画像の投影設定を変更することが可能で、この変更された投影設定に基づき、印刷設定を変更することができる。つまり、投影された画像を見ながら好みに応じてその画像を変更することで、印刷される画像を変更することができる。
【０００８】
［適用例２］  上記適用例に係る印刷設定プログラムにおいて、前記投影設定の変更として、投影する前記画像の位置の変更を受け付けたとき、前記印刷設定変更機能において、印刷される画像の位置を変更することを特徴とする。
【０００９】
本適用例に係る印刷設定プログラムによれば、上述の印刷システムにおいて、投影された画像を見ながら好みに応じてその画像の位置を変更することで、印刷される画像の位置を変更することができる。
【００１０】
［適用例３］  上記適用例に係る印刷設定プログラムにおいて、前記投影設定の変更が、投影する前記画像の大きさの変更として、投影する前記画像の大きさの変更を受け付けたとき、前記印刷設定変更機能において、印刷される画像の大きさを変更することを特徴とする。
【００１１】
本適用例に係る印刷設定プログラムによれば、上述の印刷システムにおいて、投影された画像を見ながら好みに応じてその画像の大きさを変更することで、印刷される画像の大きさを変更することができる。
【００１２】
［適用例４］  上記適用例に係る印刷設定プログラムにおいて、前記投影設定の変更として、投影する前記画像の角度の変更を受け付けたとき、前記印刷設定変更機能において、印刷される画像の角度を変更することを特徴とする。
【００１３】
本適用例に係る印刷設定プログラムによれば、上述の印刷システムにおいて、投影された画像を見ながら好みに応じてその画像の角度を変更することで、印刷される画像の角度を変更することができる。
【００１４】
［適用例５］  上記適用例に係る印刷設定プログラムにおいて、前記投影設定の変更として、投影する前記画像の色の変更を受け付けたとき、前記印刷設定変更機能において、印刷される画像の色を変更することを特徴とする。
【００１５】
本適用例に係る印刷設定プログラムによれば、上述の印刷システムにおいて、投影された画像を見ながら好みに応じてその画像の色を変更することで、印刷される画像の色を変更することができる。
【００１６】
［適用例６］  上記適用例に係る印刷設定プログラムにおいて、前記投影設定変更機能において、前記投影設定の変更をユーザーインターフェイスからの入力により受け付けることを特徴とする。
【００１７】
本適用例に係る印刷設定プログラムによれば、上述の印刷システムにおいて、投影設定の変更を好適に受付けることができる。
【００１８】
［適用例７］  上記適用例に係る印刷設定プログラムにおいて、前記投影設定変更機能において、前記着用体が着用した前記印刷媒体に投影された前記画像を含む前記着用体を撮像した撮影画像に基づいて前記投影設定を変更することを特徴とする。
【００１９】
本適用例に係る印刷設定プログラムによれば、上述の印刷システムにおいて、撮像画像を参照して好適に投影設定の変更を行うことができる。
【００２０】
［適用例８］  上記適用例に係る印刷設定プログラムにおいて、前記画像投影機能において、前記印刷媒体における前記画像の配置の基準となる基準パターンを前記投影装置に投影させることを特徴とする。
【００２１】
本適用例に係る印刷設定プログラムによれば、上述の印刷システムにおいて、基準パターンを参照して好適に画像の配置（画像の大きさや画像の位置）の変更を行うことができる。
【００２２】
［適用例９］本適用例に係る印刷設定装置は、着用体が着用した印刷媒体に画像を投影する投影装置に、投影設定に基づき画像を投影させる画像投影指示と、印刷媒体に画像を印刷する印刷装置に、印刷設定に基づき画像を印刷させる画像印刷指示と、を実行可能な制御部を備え、前記制御部は、前記投影設定の変更を受け付け、前記投影設定を変更する投影設定変更機能と、変更された前記投影設定に基づき、前記印刷設定を変更する印刷設定変更機能と、を実行可能なことを特徴とする。
【００２３】
本適用例に係る印刷設定装置によれば、着用体が着用した印刷媒体に投影する画像の投影設定を変更し、この変更された投影設定に基づき、印刷設定を変更する。つまり、投影された画像を見ながら好みに応じてその画像を変更することで、印刷される画像を変更することができる。
【００２４】
［適用例１０］  本適用例に係る印刷設定方法は、投影装置によって、着用体が着用した印刷媒体に投影設定に基づいて画像を投影する画像投影工程と、前記投影設定の変更を受け付け、前記投影設定を変更する投影設定変更工程と、変更された前記投影設定に基づき、印刷設定を変更する印刷設定変更工程と、を含むことを特徴とする。
【００２５】
本適用例に係る印刷設定方法によれば、着用体が着用した印刷媒体に投影する画像の投影設定を変更し、この変更された投影設定に基づき、印刷設定を変更する。つまり、投影された画像を見ながら好みに応じてその画像を変更することで、印刷される画像を変更することができる。
【図面の簡単な説明】
【００２６】
【図１】実施形態１に係る印刷設定プログラムによって動作するコンピューターを備えた印刷システムの全体構成を示す概念図
【図２】（ａ），（ｂ）印刷エリアと投影画像との関係を説明する概念図
【図３】実施形態１に係る印刷設定方法の基本フローを示すフローチャート
【図４】（ａ）〜（ｃ）実施形態２における印刷設定の方法を説明するための概念図
【図５】実施形態２に係る印刷設定方法の基本フローを示すフローチャート
【図６】変形例１で用いる基準パターンの例を説明する概念図
【発明を実施するための形態】
【００２７】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。
【００２８】
（実施形態１）
＜印刷システム＞
図１は、実施形態１に係る印刷設定プログラムによって動作するコンピューターを備えた印刷システムの全体構成を示す概念図である。
印刷システム１０００は、多数の画像候補の中から所望の画像を選択し、印刷媒体としての衣類１にその画像を所望の印刷設定の下に印刷することができる印刷システムであり、印刷装置としてのプリンター１００、投影装置としてのプロジェクター２００、カメラ３００、コンピューター４００などから構成されている。
【００２９】
プリンター１００は、例えば、Ｔシャツなどの衣類１に直接印刷することができるＤＴＧ（Direct to Garment）プリンターである。プリンター１００は、コンピューター４００が行う印刷設定に基づき、印刷を行うことができる。
プロジェクター２００は、光源を備えた画像投影装置であり、コンピューター４００が行う投影設定に基づき、画像の投影を行うことができる。
カメラ３００は、動画あるいは静止画を撮像することができる撮像装置であり、コンピューター４００に撮像した画像を送信することができる。
【００３０】
コンピューター４００は、ＣＰＵ（演算部）や記憶媒体（図示省略）、入力部４０１、表示部４０２などを備え、接続されたプリンター１００、プロジェクター２００、カメラ３００のそれぞれを制御したり、それぞれとの間で画像データの送受信を行ったりすることができる。
入力部４０１は、ヒューマンインターフェースとしての情報入力手段である。具体的には、例えば、キーボードや情報入力機器が接続されるポートなどである。
表示部４０２は、ヒューマンインターフェースとしての情報表示手段（ディスプレー）であり、入力部４０１から入力される情報や、プリンター１００に印刷する画像などの表示をすることができる。
【００３１】
印刷システム１０００のユーザー、あるいは、衣類１のカスタマーは、コンピューター４００に記憶されている複数の画像から、衣類１に印刷する画像１０を選択することができる。選択対象の複数の画像は、例えば、デジタルカメラなどによって得られた一般的な画像データや、画像制作アプリケーションなどによって作画された画像データから成り、コンピューター４００に接続されたネットワークや情報機器、映像取得機器などを介してコンピューター４００に収集され、コンピューター４００が備える記憶媒体に記憶されている。なお、画像データは、コンピューター４００において作画されたものでもよい。
【００３２】
プロジェクター２００は、選択された画像１０をコンピューター４００において設定された投影設定に基づき、衣類１を着用した着用体２に投影することができる。
着用体２は、例えば、衣類１のカスタマーであることが好ましく、カスタマーは、画像が印刷される衣類１、あるいは衣類１と同等の衣類（試着衣）を着用し、予め定められた所定位置で定められた方向に向かって立位姿勢を取る。具体的には、カスタマーは、例えば、試着室内に明示された立ち位置で、衣類１に画像を印刷する面がプロジェクター２００に対向する方向となるように立位姿勢を取る。
なお、着用体２は、例えば、カスタマーの体型に類似する人形などであっても良い。
【００３３】
プロジェクター２００は、所定位置（着用体２の配置位置）に画像の投影ができるように設置されており、着用体２の高さ方向の位置が調整されることで、着用体２が着用する衣類１に画像１０を投影する。着用体２に投影する高さ方向の位置の調整は、プロジェクター２００の高さ位置や投影角度の調整、あるいは、着用体２が配置される床面の上下動調整などによって行うことができる。
【００３４】
カメラ３００は、上記所定位置（着用体２の配置位置）の撮影ができるように、プロジェクター２００の設置位置に近い位置に設置されており、画像１０が投影された衣類１を着用した着用体２を撮像した撮影画像を取得し、コンピューター４００に送信することができる。
コンピューター４００は、受信した撮影画像を表示部４０２に表示したり、プロジェクター２００から別途設けられたスクリーンに投影したりすることで、カスタマーに、画像１０が投影された衣類１の撮影画像を示し、画像選定の良し悪しや、投影設定の良し悪しの評価を促すことができる。なお、カスタマーの付近に鏡を設置して、鏡に映った鏡像を見せることによって、カスタマーに評価を促してもよい。
【００３５】
ユーザー、あるいはカスタマーは、画像１０が投影された衣類１の撮影画像を見ながら、好み（又は体型）に応じて、画像１０の投影設定を変更することができる。投影設定の変更とは、画像１０が衣類１に投影される位置、投影される画像１０の大きさ、投影される画像１０の衣類１に対する傾きの度合い（角度）、投影される画像１０の色などの変更である。
【００３６】
投影設定の変更が完了し、画像１０の投影設定が決まったら、コンピューター４００は、この変更が完了した投影設定に基づき、画像１０を衣類１に印刷する印刷設定を行う。すなわち、変更前の投影設定に対応した印刷設定を、変更された投影設定に基づき変更する。
印刷設定の変更とは、画像１０が衣類１に印刷される位置、印刷される画像１０の大きさ、印刷される画像１０の衣類１に対する傾きの度合い（角度）、印刷される画像１０の色などの変更である。
ユーザーは、衣類１をプリンター１００にセットし、コンピューター４００からプリンター１００に印刷を実行させる。変更された印刷設定に基づき印刷が実行されることで、所望の画像１０が印刷された衣類１が得られる。
【００３７】
＜印刷設定プログラム＞
コンピューター４００において動作するソフトウェアには、一般的な画像処理アプリケーションや、プリンタードライバーが含まれる。
プリンタードライバーには、プリンター１００が印刷を行うための印刷データを生成する機能の他、本実施形態を特徴付ける印刷設定プログラムが含まれている。
印刷設定プログラムは、コンピューター４００に上述した機能を実行させるためのプログラムであり、画像投影機能、画像印刷機能、投影設定変更機能、印刷設定変更機能などをコンピューターに実現させる。
【００３８】
図２（ａ），（ｂ）は、印刷されるエリアと投影画像との関係を説明する概念図である。
図２（ａ）は、プリンター１００が備えるセット部３（図１参照）にセットした衣類１の状態を示す平面図である。セット部３とは、衣類１を平面に保持したまま、プリンター１００が印刷を行う印刷領域に供給するための平板状の搬送体であり、図示するように枠３ａなどで衣類１を固定することができる。プリンター１００は、この枠３ａの内側に印刷を行うことができる。つまり、枠３ａの内側のエリアが画像を印刷することが可能なエリア（以下印刷可能エリアとも言う）である。
【００３９】
図２（ｂ）は、コンピューター４００の表示部４０２に表示される印刷可能エリアに対応する画像の例である。この画像は、投影設定変更機能におけるユーザーインターフェイスの画面などで表示される。
コンピューター４００（印刷設定プログラム）における画像処理では、図２（ｂ）に示すように、印刷可能エリア（衣類１に印刷が可能な領域）に対応する仮想エリアとしてキャンバスエリアＣ１を有している。このキャンバスエリアＣ１の内部領域において、印刷したい画像１０を所望の位置や大きさに配置することができる。
【００４０】
画像投影機能は、プロジェクター２００に投影設定に基づき画像を投影させる機能である。プロジェクター２００が投影する画像は、選択された画像１０を含むキャンバスエリアＣ１の画像である。つまり、画像投影機能は、プロジェクター２００に対して、画像１０の投影設定の変更が反映されたキャンバスエリアＣ１の画像を投影する。
なお、キャンバスエリアＣ１の画像には、衣類１に投影されたときに、キャンバスエリアＣ１の範囲が判るように、その境界線を示す基準パターンとしての画像（例えば、図２（ｂ）に示す破線の枠画像１１）が含まれる。基準パターンは、画像１０の配置（画像１０の位置や画像１０の大きさ）の基準として用いられる。つまり、印刷設定プログラムは、画像投影機能において、印刷媒体における画像１０の配置の基準となる基準パターンを投影装置に投影させる。ただし、基準パターンを投影せず、印刷したい画像１０のみを投影してもよい。
なお、衣類１に投影されるキャンバスエリアＣ１の位置は、衣類１をプリンター１００にセットした場合の印刷可能エリアとなるように、お互いの位置合わせを行う必要がある。
【００４１】
投影設定変更機能は、投影設定の変更を受け付け、投影設定を変更する機能である。
具体的には、投影設定変更機能は、ユーザー、あるいはカスタマーに対し、表示部４０２および画像投影機能によって所定位置の着用体２が着用した衣類１に投影された画像を見ながら、キャンバスエリアＣ１における投影設定の変更を行うことを可能にする機能である。投影設定の変更とは、前述したように、画像１０が衣類１に投影される位置、投影される画像１０の大きさ、投影される画像１０の衣類１に対する傾きの度合い（角度）、投影される画像１０の色などの変更である。これらの変更は、入力部４０１や表示部４０２などを利用したユーザーインターフェイスを介して入力される。このとき、基準パターンを参照することで、好適に画像１０の配置（画像１０の大きさや画像１０の位置）の変更を行うことができる。
【００４２】
ユーザーインターフェイスとは、具体的には、例えば、図２（ｂ）に示すような投影設定変更を受け付ける画像処理画面である。例えば、図２（ｂ）に示す表示部４０２の画面において、入力部４０１からの操作により、画像１０ａを拡大し、ドラッグするなどの操作で画像１０ｂのように変更することができる。この画面における画像１０の変更（画像１０ａから画像１０ｂへの変更）が、プロジェクター２００による投影画像やプリンター１００による印刷画像に反映される。
【００４３】
印刷設定変更機能は、変更された投影設定に基づき、印刷設定を変更する機能である。つまり、投影設定変更により変更された内容が印刷画像に反映されるように、印刷設定を変更する機能である。
より具体的には、印刷設定変更機能は、投影設定の変更が完了した画像情報を印刷画像データとして生成する機能である。生成される印刷画像データは、キャンバスエリアＣ１に配置された（つまりキャンバスエリアＣ１を背景とした）画像１０を構成する画像データである。
【００４４】
画像印刷機能は、印刷設定に基づき画像を印刷させる機能である。具体的には、例えば、プリンター１００が、印刷用のインクとしてシアンインク（Ｃ）、マゼンタインク（Ｍ）、イエローインク（Ｙ）、黒色インク（Ｋ）、および白色インク（Ｗ）などを使用する場合に、画像印刷機能は、印刷設定変更機能により生成された印刷画像データ（キャンバスエリアＣ１を背景とした画像１０を構成する例えばＲＧＢ色空間の画像データ）をプリンター１００が実行可能な印刷データ（例えばプリンター１００が使用するインク色に対応したＣＭＹＫＷ色空間データ）に変換し、プリンター１００に送信する。印刷データを受信したプリンター１００は印刷を実行する。
【００４５】
＜印刷設定方法＞
上述した印刷システム１０００を活用した印刷設定方法について手順に従って説明する。
印刷システム１０００を活用した印刷設定方法は、投影装置によって、着用体２が着用した印刷媒体に投影設定に基づいて画像を投影する画像投影工程と、投影設定の変更を受け付け、投影設定を変更する投影設定変更工程と、変更された投影設定に基づき、印刷設定を変更する印刷設定変更工程と、を含んでいる。
以下にフローチャートに沿って具体的に説明する。
【００４６】
図３は、本実施形態に係る印刷設定方法の基本フローを示すフローチャートである。
まず、準備として、ユーザーは、印刷システム１０００を立ち上げ、カスタマーは、印刷を行いたい衣類１を着用する。またユーザーは、コンピューター４００を操作し、カスタマーに、衣類１に印刷したい画像１０を選択させる（ステップＳ１）。
【００４７】
次に、カスタマーは、衣類１を着用したまま所定の位置において、衣類１に画像を印刷する面がプロジェクター２００に対向する方向となるように立位姿勢を取る。
ユーザーは、プロジェクター２００の投影位置を調整し、プロジェクター２００によって、カスタマーが着用した衣類１に投影設定（初期値）に基づいて画像１０を投影する（ステップＳ２：画像投影工程）。この際、キャンバスエリアＣ１の範囲を示す枠画像１１が、衣類１に対する印刷可能なエリアから大きく外れないように注意する。
【００４８】
次に、ユーザーは、カメラ３００の撮像位置を調整し、画像１０が投影された衣類１を着用したカスタマーを撮像した撮影画像を取得し、撮影画像を受信したコンピューター４００は、表示部４０２に表示する（ステップＳ３）。カスタマーあるいはユーザーは、取得された撮影画像を見ながらカスタマーの好みに応じて、画像１０の投影設定を変更する（ステップＳ４：投影設定変更工程）。
【００４９】
投影設定の変更が完了し、画像１０の投影設定が決まったら、ユーザーは、コンピューター４００（印刷設定変更機能）により、変更が完了した投影設定に基づき、画像１０を衣類１に印刷する印刷設定を行う（ステップＳ５：印刷設定変更工程）。
【００５０】
次に、衣類１をプリンター１００のセット部３にセットする（ステップＳ６）。この際に、カメラ３００が取得した撮影画像を参照し、キャンバスエリアＣ１が、セット部３において枠３ａで囲まれるエリアと一致するように衣類１のセット位置を調整する。
以上により印刷設定は完了し、画像１０を構成する画像データおよび、画像１０の投影設定の変更情報に基づき変更された印刷設定により、プリンター１００に印刷を実行させる印刷データが生成される。コンピューター４００は、印刷データをプリンター１００に送信し、それを受信したプリンター１００は印刷を実行する。
【００５１】
＜印刷設定装置＞
上述した印刷システム１０００の代わりに、各種の指示を実行可能な制御部を備えた印刷設定装置を用いる構成としてもよい。印刷設定装置は、印刷設定プログラムがインストールされた装置である。例えば、印刷設定プログラムがインストールされたプリンター１０２、印刷設定プログラムがインストールされたプロジェクター２０２、印刷設定プログラムがインストールされたコンピューター４０２、などが挙げられる。印刷設定変更装置は、着用体が着用した印刷媒体に画像１０を投影する投影装置に、投影設定に基づき画像１０を投影させる画像投影指示と、印刷媒体に画像１０を印刷する印刷装置に、印刷設定に基づき画像１０を印刷させる画像印刷指示と、を実行可能な制御部を備えている。そして、制御部は、投影設定の変更を受け付け、投影設定を変更する投影設定変更機能と、変更された投影設定に基づき、印刷設定を変更する印刷設定変更機能と、を実行可能な構成である。
【００５２】
以上述べたように、本実施形態による印刷設定プログラム、印刷設定装置、および印刷設定方法によれば、以下の効果を得ることができる。
印刷システム１０００において、着用体２（例えばカスタマー）が着用した衣類１に投影する画像１０の投影設定を変更することが可能で、この変更された投影設定に基づき、印刷設定を変更することができる。つまり、投影された画像１０を見ながら好みに応じてその画像１０を変更することで、印刷される画像１０も同様に変更することができる。
【００５３】
また、印刷システム１０００において、投影された画像１０を見ながら好みに応じてその画像１０の位置、大きさ、角度、色を変更することで、印刷される画像１０の位置、大きさ、角度、色を変更することができる。
具体的には、印刷設定プログラムは、投影設定の変更として、投影する画像１０の位置の変更を受け付けたとき、印刷設定変更機能において、印刷される画像１０の位置を変更する。また、印刷設定プログラムは、投影設定の変更として、投影する画像１０の大きさの変更を受け付けたとき、印刷設定変更機能において、印刷される画像１０の大きさを変更する。また、印刷設定プログラムは、投影設定の変更として、投影する画像１０の角度の変更を受け付けたとき、印刷設定変更機能において、印刷される画像１０の角度を変更する。また、印刷設定プログラムは、投影設定の変更として、投影する画像１０の色の変更を受け付けたとき、印刷設定変更機能において、印刷される画像１０の色を変更する。
【００５４】
また、投影設定変更機能において、投影設定の変更をユーザーインターフェイスからの入力により受け付けることにより、印刷システム１０００において、投影設定の変更を好適に受付けることができる。
【００５５】
（実施形態２）
次に、実施形態２に係る印刷設定プログラムおよび印刷設定方法について説明する。なお、説明にあたり、上述した実施形態と同一の構成部位については、同一の符号を使用し、重複する説明は省略する。
実施形態１では、衣類１に印刷できるエリア（印刷可能エリア）と、コンピューター４００における画像処理で扱うキャンバスエリアＣ１とを一致させることを前提に、キャンバスエリアＣ１内での画像１０の配置や大きさを設定することで、投影設定およびそれに基づく印刷設定を行った。この場合には、上述したように、カメラ３００が取得した撮影画像を参照し、キャンバスエリアＣ１が、セット部３において枠３ａで囲まれるエリアと一致するように衣類１のセット位置を調整する必要があった。
【００５６】
これに対し、実施形態２の印刷設定プログラムは、投影設定変更機能において、着用体２が着用した衣類１に投影された画像１０を含む着用体２を撮像した撮影画像に基づいて投影設定を変更することを特徴としている。これにより、撮像画像を参照して好適に投影設定の変更を行うことができる。
以下に具体的に説明する。
【００５７】
図４（ａ）〜（ｃ）は、実施形態２における印刷設定の方法を説明するための概念図である。
実施形態１では、印刷エリアを合わせることを目的として、キャンバスエリアＣ１の範囲が判るように、その境界線を示す基準パターンとしての画像（例えば、図２（ｂ）に示す破線の枠画像１１）を画像１０と共に投影していた。これに対して、実施形態２では、図４（ａ）に示すように、画像１０のみを投影する。（図４（ａ）は、実施形態２におけるカメラ３００による撮影画像の例である。）
投影する画像１０の投影設定は、実施形態１と同様に行っても良いが、例えば、プロジェクター２００の投影設定を変更する方法を併用しても良い。具体的には、プロジェクター２００からの投影角度や、拡大率の変更により、衣類１に投影される画像１０の位置や大きさなどを変更しても良い。
【００５８】
次に、コンピューター４００の印刷設定変更機能は、カメラ３００から取り込んだ撮影画像を解析し、予め衣類１の属性情報として与えられている衣類１の寸法仕様などに基づき、印刷可能エリアにおける画像１０の位置、および大きさを割り出す。具体的には、図４（ｂ）に示すように、カメラ３００から取り込んだ撮影画像を解析することにより得られる衣類１の外形輪郭情報、衣類１の特徴的形状（例えば襟やポケットなど）の位置情報、衣類１の寸法情報に基づき、印刷可能エリアに対応するエリア１２（例えば、図４（ｂ）に示す破線のエリア）を割り出す。なお、印刷可能エリアに対応するエリア１２は、図４（ｃ）に示すように、衣類１をセット部３に対してセットする位置が予め標準的に定められており、それに従って衣類１がセットされることを前提に、その位置が割り出される。なお、割り出されたエリア１２と、実際の印刷可能エリアと、の間に差異がある場合は、ユーザー等の調整作業によって、エリア１２の位置や大きさを変更してもよい。
【００５９】
次に、印刷設定変更機能は、撮影画像を基に、エリア１２に対する画像１０の位置および大きさを割り出し、画像１０の画像データと合わせて、印刷設定を変更する。
実施形態２における印刷設定変更機能は、コンピューター４００において以上の機能を実行可能としている。
【００６０】
図５は、本実施形態に係る印刷設定方法の基本フローを示すフローチャートである。
まず、準備として、ユーザーは、印刷システム１０００を立ち上げ、カスタマーは、印刷を行いたい衣類１を着用する。またユーザーは、コンピューター４００を操作し、カスタマーに、衣類１に印刷したい画像１０を選択させる（ステップＳ２１）。
【００６１】
次に、カスタマーは、衣類１を着用したまま所定の位置において、衣類１に画像を印刷する面がプロジェクター２００に対向する方向となるように立位姿勢を取る。
ユーザーは、プロジェクター２００の投影位置を調整し、プロジェクター２００によって、カスタマーが着用した衣類１に投影設定（初期値）に基づいて画像１０を投影する（ステップＳ２２：画像投影工程）。
【００６２】
次に、ユーザーは、カメラ３００の撮像位置を調整し、画像１０が投影された衣類１を着用したカスタマーを撮像した撮影画像を取得し、撮影画像を受信したコンピューター４００は、表示部４０２に表示する（ステップＳ２３）。カスタマーあるいはユーザーは、取得された撮影画像を見ながらカスタマーの好みに応じて、画像１０の投影設定を変更する（ステップＳ２４：投影設定変更工程）。なお、投影設定の変更は、実施形態１と同様に行っても良いし、プロジェクター２００を操作して、画像１０の位置や大きさなどを変更しても良い。
【００６３】
投影設定の変更が完了し、画像１０の投影設定が決まったら、ユーザーは、コンピューター４００（印刷設定変更機能）により、変更が完了した投影設定に基づき、画像１０を衣類１に印刷する印刷設定を行う（ステップＳ２５：印刷設定変更工程）。
【００６４】
次に、衣類１を、プリンター１００のセット部３の所定位置にセットする（ステップＳ２６）。
以上により印刷設定は完了し、画像１０を構成する画像データ、および、画像１０の投影設定の変更情報に基づき変更された印刷設定により、プリンター１００に印刷を実行させる印刷データが生成される。コンピューター４００は、印刷データをプリンター１００に送信し、それを受信したプリンター１００は印刷を実行する。
【００６５】
以上のように、実施形態２に係る印刷設定プログラムおよび印刷設定方法においても、実施形態１と同様の効果が得られる。また、実施形態１に比較して、印刷可能エリアの位置合わせが不要となる効果が得られる。
【００６６】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００６７】
（変形例１）
実施形態１では、印刷エリアを合わせることを目的として、キャンバスエリアＣ１の範囲が判るように、その境界線を示す基準パターンとしての画像（例えば、図２（ｂ）に示す破線の枠画像１１）を画像１０と共に投影していた。また、実施形態２では、図４（ａ）に示すように、基準パターンは投影せずに画像１０のみを投影し、着用体２が着用した衣類１に投影された画像を含む着用体２を撮像した撮影画像に基づいて画像１０を印刷する位置や大きさを設定するとしていた。
これに対し、変形例１は、基準パターンを投影し、印刷設定プログラムにおいて、印刷設定変更機能が、変更された投影設定および着用体２が着用した衣類１に投影された基準パターンを含む着用体２を撮像した撮影画像に基づいて印刷設定を変更することを特徴としている。
以下に具体的に説明する。
【００６８】
図６は、変形例１で用いる基準パターンの例を説明する概念図である。
プロジェクター２００によって画像１０と共に投影する基準パターンは、図６に示す基準線や基準位置を示す基準パターン１３などであっても良い。
基準パターン１３は、キャンバスエリアＣ１の４つのコーナー部分、および中心位置が交差線で分かり易く示される画像である。またそれらの間の領域には、等間隔の格子線が描かれている。
【００６９】
この基準パターン１３を投影することにより、カスタマー、あるいはユーザーは、例えば、キャンバスエリアＣ１の左右中心を、衣類１の左右中心に合わせることが容易となる。また、例えば、画像１０の左右中心からのズレ量が格子線からのズレ量として定量化が容易となる。
なお、実施形態１の場合と異なり、キャンバスエリアＣ１は、プリンター１００の印刷可能エリアに必ずしも合わせる必要は無い。つまり、実施形態２の場合と同様に、プロジェクター２００からの投影角度や、拡大率の変更により、衣類１に投影される画像１０を含む基準パターン１３の投影位置や大きさなどを変更しても良い。
【００７０】
本変形例の印刷設定変更機能は、カメラ３００から取り込んだ撮影画像（基準パターン１３および画像１０が含まれる衣類１の画像）を解析し、予め衣類１の属性情報として与えられている衣類１の寸法仕様などに基づき、印刷可能エリアにおける画像１０の位置、および大きさを割り出す。具体的には、カメラ３００から取り込んだ撮影画像を解析することにより得られる衣類１の外形輪郭情報、衣類１の特徴的形状（例えば襟やポケットなど）の位置情報、衣類１の寸法情報に基づき、プリンター１００の印刷可能エリアに占めるキャンバスエリアＣ１の位置や大きさを割り出す。キャンバスエリアＣ１の内部における画像１０の位置や大きさ、傾きは、基準パターン１３との位置関係により判るため、印刷設定変更機能は、プリンター１００の印刷可能エリアにおける画像１０の位置や大きさ傾きなどを割り出すことが可能で、その結果に基づき、印刷設定を行う。
【００７１】
本変形例によっても、上述した実施形態と同様の効果が得られるのに加え、より好適に印刷設定の変更を行うことができる。
【符号の説明】
【００７２】
１…衣類、２…着用体、３…セット部、３ａ…枠、１０…画像、１１…枠画像、１２…エリア、１３…基準パターン、１００…プリンター、２００…プロジェクター、３００…カメラ、４００…コンピューター、４０１…入力部、４０２…表示部、１０００…印刷システム。
【図１】
2016197273.tif 000003
【図２】
2016197273.tif 000004
【図３】
2016197273.tif 000005
【図４】
2016197273.tif 000006
【図５】
2016197273.tif 000007
【図６】
2016197273.tif 000008